(57)【要約】      （修正有）【課題】大量に輸送し得るようにする荷造り用具を提供し、安価に供給し得るようにし、パレット上の荷物、貨物をパレットからずれないように拘束して荷崩れの防止を図ることができる荷崩れ防止具を提供する。【解決手段】パレットに荷造りすべき箱形の商品を多数個直方体状に積み重ね、その直方体の少なくとも長辺側の稜部に保護部材を当てて荷造り用紐帯により巻き締めることにおいて、パレットのコーナー部に掛止められる保護部材が厚紙製の断面Ｌ字状のアングル材であり、厚さが３ｍｍ〜１０ｍｍの厚さを持っている荷崩れ防止用コーナーアングルとする。【選択図】図１
0003119707.tif 000002
【実用新案登録請求の範囲】
【請求項１】
パレットに荷造りすべき箱形の商品を多数個直方体状に積み重ね、その直方体の少なくとも長辺側の稜部に保護部材を当てて荷造り用紐帯により巻き締めることにおいて、パレットのコーナー部に掛止められる保護部材が厚紙製の断面Ｌ字状のアングル材であることを特徴とする荷崩れ防止用コーナーアングル
【請求項２】
請求項１において保護部材のコーナー材はＬ字状の紙製であって、厚さが３ｍｍ〜１０ｍｍの厚さを持っていることを特徴とする荷崩れ防止用コーナーアングル
【請求項３】
請求項２において保護部材のコーナー材の厚紙は古紙から製造された紙製であることを特徴とする荷崩れ防止用コーナーアングル
【請求項４】
請求項１において保護部材のコーナー材はＬ字状であって、３０ｍｍ〜１００ｍｍのＬ字の一辺の幅と３００ｍｍ〜１５００ｍｍの長さであるはことを特徴とする荷崩れ防止用コーナーアングル
【請求項５】
請求項１においてパレットのコーナー部に掛止められる保護部材が厚紙製の断面Ｌ字状のアングル材であって、その表面に耐水および撥水加工を行っていることを特徴とする荷崩れ防止用コーナーアングル
【請求項６】
パレット上の箱形商品を積み重ねてなる直方体の複数の稜部に沿って荷崩れ防止用コーナーアングルの保護部材を当て商品の荷造り用紐帯により巻き締めてなることを特徴とする荷崩れ防止用コーナーアングル
【考案の詳細な説明】
【技術分野】
【０００１】
この考案は、パレットのコーナー部に配置されてパレット上に積み上げられた貨物がずれないように防止する荷崩れ防止具に関するものである。
【背景技術】
【０００２】
従来、パレットの上に、段ボール容器やケース等の各種の貨物を積み重ねて運搬、保管する場合に、貨物をまとめてロープやベルト等を巻いて締め付けたり、あるいはストレッチフィルムと呼ばれる伸縮自在な樹脂によりパレットと貨物を一緒に巻き固定して荷崩れを防いでいる。
しかし、貨物相互は一体となりやすいが、貨物全体とパレットとの間では拘束手段が無いため輸送時の振動などで外力が加わった際に貨物がスライドしパレットからせり出してしまう虞れがある。
【０００３】
また、ストレッチフィルムの場合、使い捨てのためゴミがその都度発生するし、ストレッチフィルムを巻くのに時間がかかり、繁雑な作業となっていた。
そこで、例えば粘着テープ付きコーナー部サポートでは、Ｌ型支柱と、該支柱をパレットに固定するための両面粘着テープとからなる構造が開示されているが、このサポートは段ボールからなりパレットのコーナー部面に下端が接着されるだけであって十分な強度が得られず、フィルムでラッピングするまでの補助的な効果しか得られない（特許文献１参照）。
また、荷崩れ防止具では、シートまたはネット状の固定具に、荷物の角部寄りの部位に位置する荷崩れ防止バーを取り付けた構造が知られているが、パレットと連結しないため根本的な解決にはならない（特許文献２参照）。
荷造りのアングルとして重量のある荷物の場合には金属、木製、樹脂、などが使用されている。（特許文献３参照）
さらにＬ字型のコーナーアングルとして種々のものが提案さているが、材質、構造てきに複雑であり、特殊の荷の形状に使用できるものである。一般的な荷の形状には使用できないもの提案がある（特許文献４参照、実用新案文献５参照）
【特許文献１】特開平１１−２０８６５８号
【特許文献２】特開２００３−１０４３７３号
【特許文献３】特開２００２−８００１５号
【特許文献４】特開２００５−２８９３９８号
【特許文献５】登録実用新案第３０４４６２２号
【考案の開示】
【考案が解決しようとする課題】
【０００４】
この考案の解決しようとする問題点は、パレットに積み重ねられた多数個の貨物を四隅に配置した支柱部と、その支柱部に通した帯を両端部で締め付け固定することで、パレットと多数個の貨物が一体となり、トラック等の輸送機関による運搬時であってもパレット上の多数個の貨物がスライド移動したり、荷崩れしないようする荷崩れ防止具を提供することにある。
本考案は上記の問題を解決するためなされたものであって、その目的は、この種の商品を、鉄道や船舶、大型トラックなどにより大量に輸送し得る荷造り方法及びその用具を提供し、一工場で大量に集中生産し、広い範囲に渡って安価に供給し得るようにすることにある。
【課題を解決するための手段】
【０００５】
本考案は、上記課題を解決するために、請求項１の考案では、パレットのコーナー部に掛止められるコーナー掛止部を下部に有して上方へ出力し、パレットのコーナー部上に配置される支柱部と、商品の容器に一連に巻き付けて両端で締付け固定する荷崩れ防止用の帯を開発している。
パレットに荷造りすべき箱形の商品を多数個直方体状に積み重ね、その直方体の少なくとも長辺側の稜部に保護部材を当てて荷造り用紐帯により巻き締めることにおいて、パレットのコーナー部に掛止められる保護部材が厚紙製の断面Ｌ字状のアングル材である荷造り用コーナーアングル
【０００６】
保護部材のコーナー材はＬ字状の紙製であって、厚さが３ｍｍ〜１０ｍｍの厚さを持っている。保護部材のコーナー材の厚紙は古紙から製造された紙製である。保護部材のコーナー材はＬ字状であって、３０ｍｍ〜１００ｍｍのＬ字の一辺の幅と３００ｍｍ〜１５００ｍｍの長さである。パレットのコーナー部に掛止められる保護部材が厚紙製の断面Ｌ字状のアングル材であって、その表面に防水および撥水加工を行っている。
パレット上の箱形商品を積み重ねてなる直方体の複数の稜部に沿って荷造り用コーナーアングルの保護部材を当て商品の荷造り用紐帯により巻き締めてなる荷造り用コーナーアングル。
上記の課題は、荷造りすべきボードを多数枚、直方体状に積み重ね、その直方体の少なくとも長辺側の稜部に保護部材を当てて荷造り用紐帯により巻き締めることを特徴とする商品の容器の荷造り方法により解決される。また、最も望ましい実施例においては、保護部材として断面Ｌ字型のアングル材が用いられ、ボックス型の商品を積み重ねてなる直方体の全ての稜部にこのアングル型の保護部材が当てられ、荷造り用の紐帯により、長辺側では２〜３個所、短辺側及び鉛直方向の稜部で１〜２個所を荷造り用紐帯により巻き締める。      荷造り用の紐帯としては、丈夫な紐、バンド、縄などどのようなものでもよいが、所謂荷崩れ防止用ベルトを用いることが推奨される。アングル材としては厚紙製のものなどを使用し得る。保護部材として使用するアングル材の長さは、保護すべき稜の長さにより短くてもよいが、いずれかのものが、角隅部を保護し得るよう構成することが望ましい。また、他の望ましい実施例においては、下面側の保護部材として、木製などの荷役用パレットが用いられる。
【考案の効果】
【０００７】
本考案の荷崩れ防止具用コーナーアングルは、パレットに掛止めることでパレットに連動可能となってパレットのコーナー部で貨物を拘束することができ、また荷崩れ防止用の帯で貨物を締付け、固定することで、貨物と共に荷崩れ防止具も締め付けられて、貨物がパレットに強く拘束されるので、輸送機関による運搬時であってもパレット上の多数個の貨物がスライド移動したり、荷崩れする虞れがない。
また、荷崩れ防止具は荷崩れ防止用の帯を保持するので、荷崩れ防止用の帯の歪みや撚れを防ぐことができ、また荷崩れ防止用の帯の締付けや取外しを容易に行うことができる。
また、この荷崩れ防止具用アングルは繰り返し再利用できるため、ゴミが発生しない。
更に、この荷崩れ防止具用アングルは、パレットに掛け止め、拘束するだけでよく、荷崩れ防止の帯を締付けるだけなので、一人で短時間に作業ができ、作業効率の向上を図ることができる。
【考案を実施するための最良の形態】
【０００８】
荷崩れ防止具をパレットのコーナー部に取り付け、該荷崩れ防止具に保持された荷崩れ防止用の帯で貨物を締め付けることで、パレット上の貨物が荷崩れ防止具に拘束されてパレットから外方向への荷崩れの防止を実現した。
【実施例１】
【０００９】
保護部材のコーナー材はＬ字状の古紙の厚紙から製造された紙製であって、厚さが５ｍｍの厚さを持って、５０ｍｍのＬ字の一辺の幅と１５００ｍｍの長さであり、厚紙製の断面Ｌ字状のアングル材の表面に油性成分によって撥水加工さられた荷崩れ防止用コーナーアングルの図２によって図３の手順にとり、図１のようにパレット上に縦＊横＊高＝２５０＊３５０＊２６０ｍｍの食品を入れた箱を高さで５段、横３列、縦４列に積んだものに上記の荷崩れ防止具（図２）を保護として４コーナーに取り付けて、荷崩れ防止用ベルトによって締め付けた。リフト運搬機により移動したが、パレット上の各箱の荷崩れはまったくなかった。
【実施例２】
【００１０】
荷崩れ防止具４は、図３に示すように、パレット３の四隅に立て掛け配置し、パレット３に積載された商品１のコーナー部と整合するように掛け止め、荷崩れ防止用ベルトで固定し締め付け固定する。この際に、一度仮に荷崩れ防止用ベルト２を緩く締め付け  荷崩れ防止用コーナーアングル４を上へ移動してから取り付けて、荷崩れ防止用ベルト２によって締め付けたところ、パレット上の荷物の荷崩れの心配は全くなかった。
【図面の簡単な説明】
【００１１】
【図１】荷崩れ防止具を用いた使用状態を示す図
【図２】荷崩れ防止具アングル
【図３】荷崩れ防止具の使用前状態を示す図
【符号の説明】
【００１２】
１ 商品
２ 荷崩れ防止用ベルト
３ パレット
４ 荷崩れ防止用コーナーアングル
【図１】
0003119707.tif 000003
【図２】
0003119707.tif 000004
【図３】
0003119707.tif 000005
【手続補正書】
【提出日】平成17年12月28日(2005.12.28)
【手続補正１】
【補正対象書類名】実用新案登録請求の範囲
【補正対象項目名】全文
【補正方法】変更
【補正の内容】
【実用新案登録請求の範囲】
【請求項１】
パレットに荷造りすべき箱形の商品を多数個直方体状に積み重ね、その直方体の少なくとも長辺側の稜部に保護部材を当てて荷造り用紐帯により巻き締めることにおいて、パレットのコーナー部に掛止められる保護部材が厚紙製の断面Ｌ字状のアングル材であることを特徴とする荷造り用コーナーアングル
【請求項２】
請求項１において保護部材のコーナー材はＬ字状の紙製であって、厚さが３ｍｍ〜１０ｍｍの厚さを持っていることを特徴とする荷造り用コーナーアングル
【請求項３】
請求項２において保護部材のコーナー材の厚紙は古紙から製造された紙製であることを特徴とする荷造り用コーナーアングル
【請求項４】
請求項１において保護部材のコーナー材はＬ字状であって、３０ｍｍ〜  １００ｍｍのＬ字の一辺の幅と３００ｍｍ〜１５００ｍｍの長さであるはことを特徴とする荷造り用コーナーアングル
【請求項５】
請求項１においてパレットのコーナー部に掛止められる保護部材が厚紙製の断面Ｌ字状のアングル材であって、その表面に防水加工を行っていることを特徴とする荷造り用コーナーアングル